(57)【要約】【課題】  引き操作が容易なベルトおよび股ベルトの提供。【解決手段】  股ベルト体３０の一側（導入側）に固定されるとともに股ベルト体３０の他側（導出側）を股ベルト体３０の長さ方向に案内するガイド３３を設け、且つ股ベルト体３０の一側に、股ベルト体３０の長さ方向途中の折返し部３０Ａの位置を変更すべくガイド３３を引くための取手３６を設け、取手３６を引き操作して股ベルト体３０の折返し部３０Ａに対する一側と他側との長さを調節する。【選択図】  図５
2006174934.tif 000002
【特許請求の範囲】
【請求項１】
ベルト体の長さ方向途中の折返し部の位置を変更することで該ベルト体の折返し部に対する一側と他側との長さを調節するベルトであって、
前記ベルト体の一側に固定されるとともにベルト体の他側をベルト体の長さ方向に案内するガイドが設けられ、且つベルト体の一側に、前記折返し部の位置を変更すべく前記ガイドを引くための取手が設けられていることを特徴とするベルト。
【請求項２】
取手はガイドと別体に設けられるとともに、ガイドの近傍に配置されていることを特徴とする請求項１に記載のベルト。
【請求項３】
取手は手指を係止する操作部を有していることを特徴とする請求項１または請求項２記載のベルト。
【請求項４】
ガイドはベルト体の一側および他側を外装するよう環状に形成されていることを特徴とする請求項１乃至請求項３の何れかに記載のベルト。
【請求項５】
浮力材を有するベストに取付けられて該ベストを装着する人体の股部分に前後方向に掛けるように用いられるとともに、ベルト体の長さ方向途中の折返し部の位置を変更することで該ベルト体の折返し部に対する一側と他側との長さを調節する股ベルトであって、
前記ベルト体の一側に固定されるとともにベルト体の他側をベルト体の長さ方向に案内するガイドが設けられ、且つベルト体の一側に、前記折返し部の位置を変更すべく前記ガイドを引くための取手が設けられていることを特徴とする浮力材を有するベストの股ベルト。
【発明の詳細な説明】
【技術分野】
【０００１】
本発明は、ベルト体の長さ方向途中の折返し部の位置を変更するようにして用いるベルト、および浮力材を有するベストの股ベルトに関する。
【背景技術】
【０００２】
例えば、磯釣り用のベストなどでは、釣人が海上に投げ出された非常時に必要な浮力を得るために浮力材を有している。したがって、非常時にはベストが釣人の体から分離しないようにすることが必要である。このため磯釣り用のベストには、使用者とベストを分離させないようにするベルトを有している。
【０００３】
この種のベルトは、ベルト体の途中を巻くようにして該ベルト体を挿通する挿通部材を有している。そして挿通部材にベルト体を通し、挿通部材から導出されるベルト体の導出部分を引き操作することでベルト体の挿通部材への導入側部と導出側部との長さを調節してベルト体を使用者に締付け、使用者からベストを分離させないように構成している。
【発明の開示】
【発明が解決しようとする課題】
【０００４】
上記従来のベルトでは、単に挿通部材からベルト体の導出部分が導出されているだけなので手指等を引掛ける部分がないため引き操作がしにくく、またベルト体の導出部分を確実に把持して引き操作すると大きな把持力を必要とするいという課題がある。このような課題は磯釣り用のベストに限らず、この種のベルトを備えた製品について共通の課題であった。
【０００５】
そこで、本発明は上記課題に鑑み、引き操作を容易且つ楽に行い得るベルト、および浮力材を有するベストの股ベルトの提供を課題とする。
【課題を解決するための手段】
【０００６】
本発明は、ベルト体の長さ方向途中の折返し部の位置を変更することで該ベルト体の折返し部に対する一側と他側との長さを調節するベルトであって、前記ベルト体の一側に固定されるとともにベルト体の他側をベルト体の長さ方向に案内するガイドが設けられ、ベルト体の一側に、前記折返し部の位置を変更すべく前記ガイドを引くための取手が設けられていることを特徴としている。
【０００７】
上記構成において、使用者はベルト体の一側を引き操作する作業を取手を引き操作する動作でもって行うようにすることで、ベルト体の一側を引き操作を容易且つ楽に行うことが可能となる。そして、取手を引くことでベルト体の一側は取手とともに引かれ、ガイドがベルト体の他側をベルト体の長さ方向に案内することで、ベルト体の長さ方向途中の折返し部の位置を変更し、折返し部に対する一側と他側との長さを調節することができる。
【０００８】
好ましくは、取手はガイドと別体に設けられるとともに、ガイドの近傍に配置されている。
【０００９】
この構成によれば、一側のベルト体がガイドに対して大きく導出されることがなく、ガイドから導出されているベルト体の部分は一定の長さを保持するから、ガイドから導出されているベルト体の部分の動きが周囲の環境によって乱れることなく安定した状態が保持される。
【００１０】
取手は手指を係止する係止操作部を有していることが好ましい。この構成によれば、ベルト体の折返し部に対する一側を引き操作する際に手指を係止操作部に係止することで、取手に対する手指の連結が確実になる。
【００１１】
ガイドはベルト体の一側および他側を外装するよう環状に形成されていることが好ましい。この構成によれば、折返し部に対するベルト体の一側と他側とを簡単な構成のガイドでもって沿わせて保持することができる。また、ベルト体の一側と他側とを共通のガイドでもって保持することができるため、その分だけ部品点数が少なくてすむ。
【００１２】
本発明は、浮力材を有するベストに取付けられて該ベストを装着する人体の股部分に前後方向に掛けるように用いられるとともに、ベルト体の長さ方向途中の折返し部の位置を変更することで該ベルト体の折返し部に対する一側と他側との長さを調節する股ベルトであって、前記ベルト体の一側に固定されるとともにベルト体の他側をベルト体の長さ方向に案内するガイドが設けられ、且つベルト体の一側に、前記折返し部の位置を変更すべく前記ガイドを引くための取手が設けられていることを特徴としている。
【００１３】
ベストの使用者はベルト体の一側を引き操作する作業を取手を引き操作する動作でもって行うようにすることで、ベルト体の一側を引き操作を容易且つ楽に行うことが可能となる。そして、取手を引くことでベルト体の一側は取手とともに引かれるから、ガイドがベルト体の他側をベルト体の長さ方向に案内することでベルト体の長さ方向途中の折返し部の位置が変更される。このようにして折返し部に対する一側と他側との長さを調節することで股ベルトを使用者の股部に締付け、ベストを使用者にフィットさせることができる。そして、ベストは浮力材を有しているためベストの使用者が水上に投げ出される非常時でも、ベストが使用者から大きく離れてしまうことを効果的に防止することができる。尚、浮力材としては固形式であるか非常時のみ浮力を得るよう膨張する気嚢式であるかは問わない。
【発明の効果】
【００１４】
本発明によれば、ベルトあるいは股ベルトの使用者は、ベルト体の一側を引き操作を行う際にベルト体そのものを直接的に引き操作することなく取手を介して引き操作することで、ベルト体の一側の引き操作を容易且つ楽に行うことが可能となる。
【発明を実施するための最良の形態】
【００１５】
以下、本発明の実施形態に係るベルトを魚釣り用のフローティングベスト（以下単に「ベスト」という）に付設する股ベルトを例に図面に基づいて説明する。図１は本発明の実施形態を示すべストの使用状態全体概略正面図、図２はベストの右前身ごろを開いた状態の単体全体概略斜視図、図３はベルトの拡大正面図、
図４はベルトの要部拡大正面図、図５は使用状態を示す断面図である。
【００１６】
図１に示すように、ベスト１は、ベスト本体２と、固形の浮力材３，４と、胴ベルト５と、股ベルト６とを有する。ベスト本体２は左右の前身ごろ８，９、左右の前身ごろ８，９と後ろ身ごろ１０をそれぞれ縫着により一体にする左右の側部１１，１２、および左右の前身ごろ８，９と後ろ身ごろ１０とをそれぞれ一体にする肩部１５を有する。浮力材３，４は左右の前身ごろ８，９および後ろ身ごろ１０の外皮１６に収納されている。なお、図示しないが、左右の前身ごろ８，９には、使用者（釣人）Ｈがベスト１を着用する時には左右の前身ごろ８，９を互いにフリーにし、着用後は一体化するためのバックルなどの取付け具が取付けられている。
【００１７】
図２に示すように、前記胴ベルト５は、使用者Ｈの体型に合わせてベスト本体２の胴回りサイズを調整すべくベスト本体２の外皮１６の裏地２０の下部（裾側）に逢着されている。胴ベルト５は両前身ごろ８，９の腋側端縁の下部から後ろ身ごろ１０方向に延設された前ベルト体２１と、後ろ身ごろ１０の両脇側端縁の下部から前身ごろ８，９方向にそれぞれ延設された後ろベルト体２５と、後ろベルト体２５の先端部に設けられた環状枠部材２６とから構成されている。環状枠２６には前ベルト２１の先端部２１ａを巻き込むように折返す部分を有している。すなわち、この胴ベルト５の構成において、前ベルト体２１の先端部２１ａを使用者Ｈが手指６１で摘んで前方に引き操作することにより、両ベルト体２１，２５の連結長さが環状枠部材２６を介して調節されて、前身ごろ８、９と後ろ身ごろ１０との離間距離を狭められ、これにより使用者Ｈの体型に合わせてベスト１を確実に装着することができる。
【００１８】
前記股ベルト６は、股ベルト体３０と、股ベルト体３０の途中に該股ベルト体３０を湾曲させるようにして導入出する係合部材３１と、股ベルト体３０の導入側部（股ベルト体３０の一側）５２をその途中で挿通案内するとともに、股ベルト体３０の導出側部（股ベルト体３０の他側）５３に固定されるガイド３３と、股ベルト体３０の導出側部５３の先端部に形成した折返しループ（端部ループに相当する）３５に取付けられる取手３６とを備える。
【００１９】
股ベルト体３０は引張り力に対して充分な強度を有する生地から形成されており、長さ方向に同幅に形成された所定長さを有する一本物に形成されている。図３に示すように、股ベルト体３０の長さ方向中心にホック４０を構成する凸部材４１が固着されている。後ろベルト体２５の左右方向中心に、股ベルト体３０を挿通可能に支持する環状の布片４２が、その重ね布部４５が重ねられた状態で後ろ身ごろ１０の裏地２０との間に挟まれて逢着されている。この布片４２に前記ホック４０の凸部材４１が着脱自在に嵌合するホックの凹部材４６が固着されている。
【００２０】
前記係合部材３１は、フレーム４７とこのフレーム４７に一体形成された複数本の係合爪５０からなる係合部４８を備えている。この係合部４８は、後述の被係合部材３２に着脱自在に係合可能とされている。フレーム４７の中心開口５１には、股ベルト体３０の途中を導入側部５２から導出側部５３へ向けて巻くように折返すための幅方向に差渡した折返し杆５４が設けられている。折返し杆５４はフレーム４７に一体に形成されている。この折返し杆５４に巻かれる部分が股ベルト体３０の折返し部３０Ａとなり、この折返し部３０Ａに対して中心開口５１に導入される側が股ベルト体３０の導入側部５２であり、折返し部３０Ａに対して中心開口５１から導出される側が股ベルト体３０の導出側部５３である。
【００２１】
前記フレーム４７における股ベルト体３０の導出側部５３の枠部５５の片側はテーパ面５６に形成されている。図示しないが、折返し杆５４の股ベルト体３０との接触面には、股ベルト体３０が簡単に滑るのを防止するための手段（例えば細かな凹凸等）が施され、該手段と前記テーパ面５６とによって股ベルト体３０に所定の摩擦力を付与している。
【００２２】
前記被係合部材３２は、前ベルト体２１の左右方向中心に、前ベルト２１と裏地２０との間に重ね布部４３ａが逢着された環状の布片４３に設けられている。被係合部材３２は、布片４３が巻かれる取付け杆３２ａと、前記係合部４８が挿入されてこれが弾性的に係合する被係合部４９を有する。
【００２３】
前記ガイド３３は、股ベルト６の導出側部５３に固定される固定部３３ｂと、固定部３３ｂに対向する対向部３３ｃを有し、股ベルト体３０の前記導入側部５２および導出側部５３を外装する兼用の部材として布製で扁平な環状に形成されている。ガイド３３の中心孔５７は、股ベルト体３０の導入側部５２と導出側部５３とが重ねられても導出側部５３が導入側部５２に沿ってスライド可能な厚み方向の径Ｄ１を有する。ガイド３３は、股ベルト６の導出側部５３に逢着（５３ａ）によって固定されている。さらに、ガイド３３から導出する股ベルト体３０の長さをできるだけ短く設定した位置に固定されている。
【００２４】
前記折返しループ３５は、ガイド３３から所定長さだけ導出した股ベルト体３０の先端部を折返して逢着（３５ａ）することで形成され、これにより折返しループ３５の中心には股ベルト６の幅方向の孔部６０が形成される。
【００２５】
取手３６は合成樹脂から硬質に加工されており、その全体形状をＤ型の環状に形成され、また、取手３６はガイド３３と別体に設けられている。取手３６は、手指６１が入る係止孔６２を有した操作部６３を有する。この操作部６３は、幅方向外方に配置された両側の側部６３ｂと、側部６３ｂどうしを一体に連結する連結部６３ｃとから略Ｕ字形に形成される。操作部６３の幅Ｂ１（側部６３ｂの幅方向外側端面間の距離）は、股ベルト体３０の幅Ｂ２に比べて大きく設定されている。また、操作部６３に杆状の基部６４が一体に形成され、この基部６４は前記折返しループ３５の孔部６０全幅に亙って挿通され、且つ該孔部６０に対して回動自在とされている。このように、取手３６の基部６４が折返しループ３５の孔部６０に支持されるよう設けられることで、取手３６はガイド３３の近傍に配置されている。
【００２６】
上記のような係合部材３１、ガイド３３、および取手３６は股ベルト体３０の一方側だけででなく、これら同様の各部材が股ベルト体３０の他方側にも設けられている。図の符号７０は、股ベルト６を収納するためのポケットで、後ろ身ごろ１０の裏地２０に重ねられた収納用布７１の下部をスライドファスナ７２によって開閉自在に構成されており、このポケット７０は裏地２０と収納用布７１との間に収納空間７３を有する。
【００２７】
上記構成の股ベルト６は、ベスト１の不使用時には折り畳んでポケット７０に収納しておく。釣行の際、ベスト１を装着する前にポケット７０から取出し、ベルト６を引き伸ばしてベスト１に付設した布片４２に股ベルト６をその片側から挿通し、ホック４０の凸部材４１をホック４０の凹部材４６に弾性嵌合する。このようにすることで、股ベルト体３０の長さ方向中心部をベスト１に支持（固定）するようにし、この状態で使用者Ｈはベスト１を着用する。尚、このとき股ベルト６は使用者Ｈの背側に位置することになる。
【００２８】
続いて、例えば股ベルト６の左側（一方側）を使用者Ｈの左側股部Ａ１に、後方から前方にくぐらせるようにして移動させ、左側の係合部材３１の係合部４８を左側の被係合部材３２の被係合部４９に下方から挿入するようにして両者を弾性的に係合する。
【００２９】
次に、股ベルト６の右側（他方側）を使用者Ｈの右側股部Ａ２に、後方からくぐらせるようにして移動させ、右側の係合部材３１の係合部４８を右側の被係合部３２に挿入するようにして両者を弾性的に係合する。したがって、股ベルト６の股ベルト体３０の長さは、使用者Ｈの背側で支持された状態から使用者Ｈの左右の股部Ａ１，Ａ２にくぐらせてそれぞれ係合部材３１の係合部４８を被係合部材３２の被係合部４９に挿入するのに充分な長さに設定することが必要である。
【００３０】
ところで、上記のようにして係合部材３１の係合部４８を被係合部材３２の被係合部４９に挿入するようにして係合した際に、股ベルト６（股ベルト体３０）に弛みが生じている場合には、次のようにして股ベルト６を使用者Ｈの左右の股部Ａ１，Ａ２に対して締付ける。すなわち、使用者Ｈの手指６１を取手３６の操作部６３の係止孔６２に挿入して連結部６３ｃに引掛け、取手３６を前述の係合部材３１による摩擦力に抗して下方に引き操作する。
【００３１】
ここで股ベルト体３０の折返し部３０Ａに対する導出側部５３にはガイド３３が固着されており、折返し部３０Ａの導入側部５２はガイド３３にスライド自在に支持され、且つ係合部材３１の係合部４８は被係合部３２に係合固定されている。したがって、取手３６を下方に引き操作すると、股ベルト体３０の導出側部５３が下方に引かれるとともに股ベルト体３０の導入側部５２が上方に引かれ、股ベルト体３０上の折返し部３０Ａの位置が変更されるとともに、ガイド３３が係合部材３１から離れる。換言すれば、股ベルト体３０の導出側部５３と導入側部５２とが長さ方向に相対的に移動して股ベルト体３０上の折返し部３０Ａの位置が変更されることになる。
【００３２】
これによって、股ベルト６が使用者Ｈの股部Ａ１，Ａ２に対して締付けられ、ベスト１が使用者Ｈに対して確実に固定されることになる。そして、取手３６を係合部材３１による摩擦力に抗して下方に引き操作して締付けた後は、係合部材３１による摩擦力によって導入側部５２が下方に移動してしまう（導出側部５３が上方に移動してしまう）のを防止するので、股ベルト６が使用者Ｈの股部Ａ１，Ａ２に対して締付けられた状態が保持される。
【００３３】
上記のようにして股ベルト６を使用者Ｈの左右の股部Ａ１，Ａ２に対して締付けることで、ベスト１が使用者Ｈに対して確実に固定されるから、仮に使用者Ｈが海上に投げ出された非常時でもベスト１が浮力材３，４による浮力を有していても、ベスト１が使用者Ｈの体から大きく分離する状態を防止することができ、非常時の中で安全を確保することができる。
【００３４】
股ベルト６を使用者Ｈの左右の股部Ａ１，Ａ２に対して締付ける際、股ベルト体３０の折返し部３０Ａの導出側部５３に設けた取手３６を手指６１で引き操作するので、股ベルト体３０そのものの端部を引き操作する場合に比べてその操作を容易に、且つ楽に行うことができる。
【００３５】
そして、取手３６の基部６４は折返しループ３５の孔部６０に遊嵌（回動自在に挿通）されているから、手指６１の入り具合に応じて動くことになる。したがって、使用者Ｈは手指６１を取手３６の操作部６３に係止して引き操作する際に、手指６１に無理な力が働くのを抑えることができる。
【００３６】
なお、操作部６３の幅Ｂ１は股ベルト体３０の幅Ｂ２に比べて大きく設定することで操作部６３の股ベルト体３０側に段付部分６３ａがあり、仮に使用者Ｈが操作部６３全体を把持したとき、段付部分６３ａが使用者Ｈの手との引掛かかりとなり、股ベルト体３０に対して引き操作力を与え易くなる。そして操作部６３は硬質であるから、例えば生地で形成される股ベルト体３０を把持して引き操作することに比べて使用者Ｈにとっては引き操作し易くなっている。したがって、場合によっては使用者Ｈは手指６１を取手３６の操作部６３に入れることなく操作部６３そのものを把持して引き操作することで、股ベルト６を使用者Ｈの左右の股部Ａ１，Ａ２に対して締付けるようにすることも可能である。
【００３７】
また、ガイド３３は折返し部３０Ａの一側に固定している。このため、股ベルト６を使用者Ｈの股部Ａ１，Ａ２に対して締付けるよう股ベルト体３０の一側を引き操作してもガイド３３から導出する股ベルト体３０の長さは変わらない。そして、ガイド３３から導出する股ベルト体３０をできるだけ短く設定していることで、ガイド３３から導出する股ベルト体３０が、例えば風に吹かれて大きく揺れたり使用者Ｈの動きによって大きく揺れることがなく、常に安定した状態が保持されることになり、外観的にも好ましい。
【００３８】
上記実施形態では、本発明のベルトをベスト１の股ベルト６に適用させ、一本の股ベルト体３０の両側に係合部材３１、ガイド３３、および取手３６をそれぞれ設けた例を示した。しかし、本発明のベルトはこれに限定されるものではない。例えば、デイパックなど、使用者が背負うようにして使用する製品に付設するベルトとしても適用可能である。この場合、ベルトは左右一対で設けてベルトを使用者の左右肩それぞれに掛けるように用い、上記と同様に取手３６を引き操作することで使用者の体型に合わせてデイパックなどの製品を使用者の体に確りと固定することができる。
【００３９】
取手３６は環状に形成したがこれに限定されるものではなく、折返しループ３５に直接的に取付けられる部分あるいはガイド３３に直接的に取付けられる部分と手指で引き操作する部分とを有していることが好ましい。例えば取手を略Ｓ字形状に形成し、一方の湾曲部を折返しループ３５の孔部６０に挿通し、他方の湾曲部を操作部としても、上記と同様の作用効果を奏し得る。あるいは、取手３６とガイド３３とを別体とすることなく、取手３６とガイド３３とを一体に設けることも可能である。
【図面の簡単な説明】
【００４０】
【図１】本発明の実施形態を示すべストの使用状態全体概略正面図。
【図２】同じくベストの右前身ごろを開いた状態の単体全体概略斜視図。
【図３】同じく股ベルトの拡大正面図。
【図４】同じく股ベルトの要部拡大正面図。
【図５】同じく股ベルトの使用状態を示す断面図。
【符号の説明】
【００４１】
１…ベスト、２…ベスト本体、３，４…浮力材、５…胴ベルト、６…股ベルト、３０…股ベルト体、３１…係合部材、３３…ガイド、３０Ａ…折返し部、３５…折返しループ、３６…取手、５２…股ベルト体の導入側部、５３…股ベルト体の導出側部、３３ｂ…固定部、３３ｃ…対向部、５７…ガイドの中心孔、６０…折返しループの孔部、６２…係止孔、６３…操作部、６４…基部
【図１】
2006174934.tif 000003
【図２】
2006174934.tif 000004
【図３】
2006174934.tif 000005
【図４】
2006174934.tif 000006
【図５】
2006174934.tif 000007